(57)【特許請求の範囲】
【請求項１】
光ファイバの余長部分に湾曲状態を維持する処理を施すための光ファイバの余長処理構造であって、
上方から内側に落とし込まれた光ファイバ（１８）を水平方向の所望の領域内にＵ字状に湾曲させた状態で保持する細長長方形枠状に形成され、前記長方形の一対の長辺の内の一方である内側部が前記長辺の他方である外側部よりも高くなるように傾斜して設けられた入り口部材（１０）と、該入り口部材の外側部に取り付けられ下方に向かってほぼ垂直あるいは傾斜して延在するシート状の仕切部材（１１）とを具備し、
上下多段に設けられた複数の前記入り口部材（１０）を水平方向にずらし且つ下段の入り口部材の前記内側部が上段の入り口部材の外側部に平面視でほぼラップするように配置し、これらの入り口部材（１０）及び各入り口部材（１０）の外側部に取り付けられた前記仕切部材（１１）により、各入り口部材に対応する光ファイバの余長収納空間（２０）を複数画成してなり、
各入り口部材の長手方向両端の短辺部分に、Ｕ字状に湾曲させた状態で落とし込まれる前記光ファイバが引っ掛けられるようになっていることを特徴とする光ファイバの余長処理構造。
【請求項２】
前記入り口部材（１０）は、前記光ファイバ（１８）を収納する光ファイバ収納ケースの固定部材に取り付けられていることを特徴とする請求項１記載の光ファイバの余長処理構造。
【請求項３】
前記光ファイバ（１８）の一端は、前記光ファイバ収納ケースに収納されたコネクタに切替可能に接続されていることを特徴とする請求項２記載の光ファイバの余長処理構造。
【請求項４】
複数の前記入り口部材（１０）各々は、配列方向の一方側の側部が反対側の側部に対して高くなるように傾斜して配置されていることを特徴とする請求項１〜３のいずれかに記載の光ファイバの余長処理構造。
【請求項５】
光ファイバ（１８）を収納する光ファイバ収納ケースの固定部材に、請求項１ないし４のいずれか１項記載の光ファイバの余長処理構造を設けてなることを特徴とする光ファイバ配線ユニット。
【請求項６】
前記光ファイバ（１８）の一端を、前記光ファイバ収納ケースに収納されたコネクタに切替可能に接続してなることを特徴とする請求項５記載の光ファイバ配線ユニット。
【発明の詳細な説明】
【０００１】
【発明の属する技術分野】
本発明は、光ファイバの余長を収納するための光ファイバの余長処理構造、及びこの光ファイバの余長処理構造を設けた光ファイバ配線ユニットに関する。
【０００２】
【従来の技術】
例えば、光配線架等の光ファイバ収納ケースでは、内部に収納した光ファイバに作業余長を確保しておく必要があり、この余長部分を曲げ損失の発生を防ぐために規定以上の曲率で湾曲状態を維持する処理を施す。
【０００３】
以下、従来の余長処理構造を具体的に説明する。
図２は、整線リング１を使用した余長処理構造を示す。この余長処理構造は上下一対として配置された矩形枠状の整線リング１からなり、光ファイバ心線を補強チューブでコード化してなる光ファイバコード２の余長３を上側の整線リング１に引っ掛けるようにして下側の整線リング１の内側に落とし込む。整線リング１はそれぞれほぼ水平に配置され、光ファイバコード２の余長３の下端部外側を両整線リング１で囲むようにして、外側に突出しないように保護するようになっている。
【０００４】
【発明が解決しようとする課題】
ところで、図２の余長処理構造では、多数本の光ファイバコード２の余長３を処理した場合には、例えば任意の光ファイバコード２を一本だけ取り出す時に光ファイバコード２同士が絡まりやすく、作業に手間がかかるといった問題が生じていた。
また、前記問題に鑑みて、余長収納ケースを多数用意して余長を振り分け収納することが考えられるが、余長収納ケースが嵩張るため設置スペースが必要になる上、コスト増に結びつき、問題の根本的な解決に至らない。
【０００５】
本発明は、上記事情を考慮し、余長収納処理を極めて簡単に行うことのできる安価な光ファイバの余長処理構造、及びこの光ファイバの余長処理構造を設けた光ファイバ配線ユニットを提供することを目的とする。
【０００６】
【課題を解決するための手段】
請求項１の発明は、光ファイバの余長部分に湾曲状態を維持する処理を施すための光ファイバの余長処理構造であって、上方から内側に落とし込まれた光ファイバを水平方向の所望の領域内にＵ字状に湾曲させた状態で保持する細長長方形枠状に形成され、前記長方形の一対の長辺の内の一方である内側部が前記長辺の他方である外側部よりも高くなるように傾斜して設けられた入り口部材と、該入り口部材の外側部に取り付けられ下方に向かってほぼ垂直あるいは傾斜して延在するシート状の仕切部材とを具備し、上下多段に設けられた複数の前記入り口部材を水平方向にずらし且つ下段の入り口部材の前記内側部が上段の入り口部材の外側部に平面視でほぼラップするように配置し、これらの入り口部材及び各入り口部材の外側部に取り付けられた前記仕切部材により、各入り口部材に対応する光ファイバの余長収納空間を複数画成してなり、各入り口部材の長手方向両端の短辺部分に、Ｕ字状に湾曲させた状態で落とし込まれる前記光ファイバが引っ掛けられるようになっていることを特徴とする光ファイバの余長処理構造を前記課題の解決手段とした。
請求項２の発明は、請求項１において、前記入り口部材は、前記光ファイバを収納する光ファイバ収納ケースの固定部材に取り付けられていることを特徴とする光ファイバの余長処理構造を前記課題の解決手段とした。
請求項３の発明は、請求項２において、前記光ファイバの一端は、前記光ファイバ収納ケースに収納されたコネクタに切替可能に接続されていることを特徴とする光ファイバの余長処理構造を前記課題の解決手段とした。
【０００７】
請求項４の発明は、請求項１〜３のいずれかにおいて、複数の前記入り口部材各々は、配列方向の一方側の側部が反対側の側部に対して高くなるように傾斜して配置されていることを特徴とする光ファイバの余長処理構造を前記課題の解決手段とした。
請求項５の発明は、光ファイバを収納する光ファイバ収納ケースの固定部材に、請求項１ないし４のいずれか１項記載の光ファイバの余長処理構造を設けてなることを特徴とする光ファイバ配線ユニットを前記課題の解決手段とした。
請求項６の発明は、請求項５において、前記光ファイバの一端を、前記光ファイバ収納ケースに収納されたコネクタに切替可能に接続してなることを特徴とする光ファイバ配線ユニットを前記課題の解決手段とした。
【０００８】
以下、本発明の作用を説明する。
請求項１記載の発明によれば、光ファイバの途中に集めた余長を入り口部材の内側に落とし込んで、下端を規定以上の湾曲半径でＵ字状に湾曲させることにより余長を処理する。入り口部材の下方では、余長は入り口部材により設定された領域の範囲内で保持されるとともに、仕切部材によっても領域の外に突出することが防止され、布線領域の近傍での作業中に光ファイバに接触したり、別の光ファイバが絡んだりすることが防止される。
【０００９】
また、本発明によれば、光ファイバの余長を余長収納空間に振り分けて収納するので、多数の光ファイバの余長を効率良く整理して処理することができる。また、入り口部材の寸法や仕切部材同士の離間距離は、光ファイバを挿通可能な範囲で縮小することができるので、省スペースにて多数の光ファイバの余長を効率良く処理することができる。
【００１０】
【発明の実施の形態】
以下、本発明の一実施形態を図１を参照して説明する。
図１は、本発明の一実施形態の光ファイバの余長処理構造を示す斜視図であり、光ファイバ配線ユニットに適用した例である。
図中、符号１０はリング体、１１は仕切シート、１２は支持板である。支持板１２は定位置に固定された固定部材であり、例えば光配線架の側板等に相当する。図において、支持板１２には３基のリング体１０が上下方向（図１上下）にずらして多段に取り付けられている。なお、リング体１０は請求項１記載の入り口部材に相当する。各リング体１０は、それぞれ細長長方形枠状であって、支持板１２に並行するようにして取り付けられている。これらリング体１０は、下段のリング体１０ほど支持板１２からの離間距離が増大するように、水平方向においても取り付け位置がずらされている。また、各リング体１０は、支持板１２側の側部（以下、「内側部」）１３が反対側の側部（以下、「外側部」）１４に対して高くなるように傾斜して取り付けられている。下段のリング体１０は、その内側部１３が上段のリング体１０の外側部１４に平面視でほぼラップする位置に取り付けられている。
【００１１】
各リング体１０の外側部１４には仕切シート１１が吊り下げられている。仕切シート１１は、プラスチックやポリカーボネート等によって形成されて柔軟性を有し、その上端部１５が入り口部材外側部１４に接着等の手段で固定される。仕切シート１１の上端部１５の近傍には湾曲部１６が形成されており、仕切シート１１の湾曲部１６より下方は鉛直方向に延在される鉛直部１７とされている。これら湾曲部１６および鉛直部１７は、仕切シート１１自体の成形によって設けられているが、仕切シート１１の柔軟性が高い場合には、例えば、リング体１０の外側部１４の傾斜に合わせて上端部１５を取り付けることにより、上端部１５が自重で湾曲することを利用して湾曲部を得ることも可能である。
【００１２】
上段のリング体１０に取り付けられている仕切シート１１の湾曲部１６は下段のリング体１０の取付位置に対応するので、仕切シート１１は丁度湾曲部１６によって下段のリング体１０との干渉を回避するようになっている。
仕切シート１１と支持板１２との間や仕切シート１１同士の間は、光ファイバ心線を補強チューブで被覆してなる光ファイバコード１８の余長１９を収納する余長収納空間２０になっている。余長１９を確保する位置は光ファイバコード１８同士の接続端部近傍が好ましい。例えば、光配線架等では光ファイバコード１８同士を接続するコネクタを多数集合させて収納するコネクタ収納箱が設置される場合があるが、このコネクタ収納箱の近傍に本願余長処理構造を設ければ、効率良く余長１９を処理することができる。また、この場合、光ファイバコード１８同士をコネクタで切替可能に接続すれば、余長処理構造によって接続切替時における余長１９の引き出し作業が簡便になされ、接続切替作業を迅速に行うことができる。ここで用いられるコネクタとしては、ＭＴコネクタと称される例えばＪＩＳ  Ｃ  ５９８１に制定された多心光ファイバコネクタが適用される。
なお、仕切シートは、請求項１記載の仕切部材に相当する。
【００１３】
以下、本実施形態の光ファイバの余長処理構造の作用および効果を説明する。前記光ファイバの余長処理構造によって光ファイバコード１８の余長１９を処理するには、光ファイバコード１８の途中に集めた余長１９をＵ字状に湾曲させてリング体１０の内側に落とし込み、余長１９の両側の光ファイバコード１８をリング体１０の長手方向両端に引っ掛けて余長１９をリング体１０から余長収納空間２０に吊り下げる。余長収納空間２０に吊り下げられた余長１９の下端部は、規定以上の湾曲半径を取って湾曲させて収納する。また、余長１９は、リング体１０の近傍においては、仕切シート１１の湾曲部１６によって湾曲されるので、光ファイバコード１８の湾曲半径を緩和することができ、余長１９を余長収納空間２０に落とし込むだけで、湾曲半径を維持しつつ光ファイバコード１８の余長１９を効率良く収納することができる。
なお、光ファイバコード１８は余長収納空間２０に余長１９を落とし込む際にリング体１０の長手方向両端に引っ掛けるので、余長１９の両端の光ファイバコード１８間の離間距離を十分に確保することができ、余長１９が比較的短い場合であっても、余長１９下端部の湾曲半径を確保することができる。また、本実施形態の余長処理構造では、光ファイバコード１８をリング体１０に引っ掛けること無く、余長１９のＵ字状に湾曲させた部分を単純にリング体１０内に落とし込んだ場合でも、処理を効率良く行うことができる。
【００１４】
多数本の光ファイバコード１８の余長１９を処理するには、光ファイバコード１８を各リング体１０にほぼ均等の本数で振り分けて余長１９を落とし込む。こうすることにより、一つの余長収納空間２０に収納する光ファイバコード１８の本数が減少して、余長収納空間２０からの引出時に絡みが生じることが防止されるとともに、リング体１０が上下方向および水平方向でずらされているので、目的のリング体１０での光ファイバコード１８の収納、引出作業を、他のリング体１０の光ファイバコード１８と干渉すること無く行うことができ、収納、引出作業の能率が向上する。しかも、リング体１０同士が平面視でラップして設置されているので、多数本の光ファイバコード１８を小さいスペースで整理して効率良く収納することができる。その結果、光配線架等の光接続部保護ケースに適用した場合には、光ファイバ収容量を増大することができるなどの優れた効果を得ることができる。
【００１５】
また、本実施形態の光ファイバの余長処理構造は、部品点数が少なく、仕切シート１１を取り付けたリング体１０を所望の位置に設置するだけで構成することができるので、組み立てが容易である。しかも、リング体１０および仕切シート１１が共に安価な材料で形成されており、それぞれ構造が単純で容易に製造することができるので、低コスト化することができる。
【００１６】
なお、リング体１０や仕切シート１１の設置数や形状や取り付け向きは、前記実施形態中の記載に限定されない。また、入り口部材は、リング体１０に限定されず、光ファイバコード１８の布線領域を水平方向で設定可能であれば、例えば、一対の部品を互いに離間させて配置した構造等を適用することも可能である。仕切シートは、入り口部材に対して離間していても良い。この場合、仕切シートによって入り口部材の数に対応する余長収納空間を形成する。
本発明は、光ファイバコード以外、コード化していない光ファイバ心線等の各種光ファイバの余長処理に適用することができる。
【００１７】
【発明の効果】
以上説明したように、請求項１記載の光ファイバの余長処理構造によれば、上方から内側に落とし込まれた光ファイバを水平方向の所望の領域内にＵ字状に湾曲させた状態で保持する細長長方形枠状の入り口部材と、該入り口部材の外側部に取り付けられ下方に向かってほぼ垂直あるいは傾斜して延在するシート状の仕切部材とを具備し、光ファイバの途中に集めた余長を入り口部材の内側に落とし込んで、余長を入り口部材から吊り下げた状態にし、余長の下端を規定以上の湾曲半径でＵ字状に湾曲させることにより、余長を処理するようになっているので、単純構造でしかも安価に製造できる部品のみによって構成することができ、全体を低コスト化することができるといった優れた効果を奏する。
【００１８】
また、本発明によれば、複数の前記入り口部材を水平方向にずらして配置し、これらの入り口部材及び各入り口部材の外側部に取り付けられた前記仕切部材により、各入り口部材に対応する光ファイバの余長収納空間を複数画成し、これら余長収納空間に光ファイバの余長を振り分けＵ字状に湾曲させた状態で収納するようにしたので、多数の光ファイバの余長を小さいスペースで効率良く整理して処理することができ、例えば光配線架等の各種光ファイバ収納ケースの光ファイバ収容量等を増大することができるといった優れた効果を奏する。
【図面の簡単な説明】
【図１】  本発明の実施形態の光ファイバの余長処理構造を示す斜視図である。
【図２】  従来例の光ファイバの余長処理構造を示す図であって、整線リングを使用した余長処理構造を示す斜視図である。
【符号の説明】
１０…入り口部材（リング体）、１１…仕切部材（仕切シート）、１８…光ファイバ、２０…余長収納空間。
【図１】
0003810481.tif 000002
【図２】
0003810481.tif 000003